(57)【要約】      （修正有）【課題】所定の期間内に徐々に色を変化させて発光できるライトを備え、飼育生物の体内時計に与える影響を少なくして健康に飼育できるライト制御システムを提供する。【解決手段】処理ユニット２５は、所定の順序で動作するルーチンモード或いは調節モードで動作し、ルーチンモードで動作するときは、発光モジュール２１を、ルーチン期間における複数の時刻に対応して記憶された各ライトカラー設定データに対応した光を逐次出力するよう制御し、調節モードで動作するときは、入力装置１から指定された時刻におけるいずれかの時刻信号に基づいて、時刻信号が指定する時刻に対応するライトカラー設定データをメモリユニットから読み出し、入力装置からの設定信号に基づいてライトカラー設定データを対応するよう調整し、発光モジュールを、調整後のライトカラー設定データに対応する光を出力するよう制御する。【選択図】図１
0003213109.tif 000002
【実用新案登録請求の範囲】
【請求項１】
所定の時刻を指定するための時刻信号を出力し、且つライトカラーを設定するための設定信号を出力するよう操作する入力装置と、
前記入力装置と有線又は無線にて接続されるライトと、を備えたライト制御システムにおいて、
前記ライトは、
出力する光の色を変化できる発光モジュールと、
所定の時間間隔をあけた複数の時刻を所定の順序で一回りして元に戻るルーチン期間における前記複数の時刻にそれぞれ対応した複数のライトカラー設定データを記憶するメモリユニットと、
前記メモリユニット及び前記発光モジュールに接続され、且つ所定の順序で動作するルーチンモード或いは調節モードで動作する処理ユニットとを備え、
前記処理ユニットが前記ルーチンモードで動作するとき、前記発光モジュールは前記ルーチン期間における前記複数の時刻に対応して記憶された各前記ライトカラー設定データに対応した光を逐次出力し、
前記処理ユニットは、前記調節モードで動作するとき、前記入力装置から指定された前記時刻におけるいずれかの前記時刻信号に基づいて、前記時刻信号が指定する前記時刻に対応する前記ライトカラー設定データを前記メモリユニットから読み出し、前記入力装置からの前記設定信号に基づいて前記ライトカラー設定データを対応するよう調整し、且つ前記発光モジュールは調整後の前記ライトカラー設定データに対応する光を出力するよう制御される
ことを特徴とするライト制御システム。
【請求項２】
前記入力装置は、操作する操作パネルを有し、前記操作パネルは、タイム制設定部を備え、前記タイム制設定部は第１のモード制御信号を生成する切換キーを備え、
前記処理ユニットが前記ルーチンモードで動作する期間内に前記切換キーから前記第１のモード制御信号が入力されたとき、前記調節モードで動作するように切り換えられ、
前記処理ユニットが前記調節モードで動作する期間内に前記切換キーから前記第１のモード制御信号が入力されたとき、前記ルーチンモードで動作するように切り換えられる
ことを特徴とする請求項１に記載のライト制御システム。
【請求項３】
前記操作パネルは、時間設定部とライトカラー調節部とを備え、
前記時間設定部は、前記複数の時刻にそれぞれ対応した複数の時間選択キーを備え、各前記時間選択キーは、前記時刻信号を生成するように操作され、
前記ライトカラー調節部は、前記設定信号を生成するように操作され、
前記処理ユニットが前記調節モードで動作する期間内に前記時間選択キーから前記時刻信号が入力されたとき、入力された前記時刻信号が指定する前記時刻に対応する前記ライトカラー設定データを前記メモリユニットから読み出し、
前記処理ユニットが前記調節モードで動作する期間内に前記ライトカラー調節部から前記設定信号が入力されたとき、前記設定信号に応答して、読み取られた前記ライトカラー設定データを前記設定信号に対応するように調整し、且つ前記発光モジュールは、調整後の前記ライトカラー設定データの所定の色の光を出力するよう調整される
ことを特徴とする請求項２に記載のライト制御システム。
【請求項４】
前記時間設定部は、確定キーを備え、前記確定キーは、操作を経て確定制御信号を生成するために用いられ、
前記処理ユニットは、前記調節モードで動作する期間内に前記確定キーから前記確定制御信号が入力されたとき、前記確定制御信号に応答して調整後の前記ライトカラー設定データを前記メモリユニットに記憶する
ことを特徴とする請求項３に記載のライト制御システム。
【請求項５】
前記タイム制設定部は、オプションキーを更に備え、前記オプションキーは、第１の操作を経てリセット制御信号を生成するのに用いられ、
前記処理ユニットは、前記調節モードで動作する期間内に前記オプションキーから前記リセット制御信号が入力されたとき、前記リセット制御信号に応答して、調整前の前記ライトカラー設定データを前記メモリユニットに記憶する
ことを特徴とする請求項４に記載のライト制御システム。
【請求項６】
前記オプションキーは第２の操作を経て表示制御信号を生成するのに用いられ、
前記処理ユニットは、前記調節モードで動作する期間内に前記オプションキーから前記表示制御信号が入力されたとき、前記表示制御信号に応答して、前記発光モジュールを前記所定の時間間隔より短い表示期間内に制御して、前記所定の順序に基いて、それぞれ前記ライトカラー設定データを有する所定の色の光を逐次出力する
ことを特徴とする請求項５に記載のライト制御システム。
【請求項７】
前記処理ユニットに電気的に接続された通報モジュールを更に備え、
前記処理ユニットは、前記調節モードで動作するとき、前記通報モジュールに第１の表示出力を生成するよう制御する
ことを特徴とする請求項３に記載のライト制御システム。
【請求項８】
前記処理ユニットは、更にチェックモードで動作することができ、
前記処理ユニットは、前記チェックモードで動作する期間内に前記時間選択キーから前記時刻信号が入力されたとき、前記時刻信号に基づいて、前記メモリユニットから前記時刻信号に対応する前記ライトカラー設定データを読み出し、前記発光モジュールが前記ライトカラー設定データに対応する前記所定の色の光を出力するように制御し、
前記処理ユニットは、前記チェックモードで動作するとき、前記通報モジュールが第２の表示出力を生成するよう制御する
ことを特徴とする請求項７に記載のライト制御システム。
【請求項９】
前記処理ユニットは、更に手動モードで動作することができ、
前記処理ユニットは、前記手動モードで動作する期間内に前記ライトカラー調節部から前記設定信号が入力されたとき、前記設定信号に基づいて、前記発光モジュールが前記設定信号と関係する所定の色の光を出力するように制御し、
前記処理ユニットは、前記手動モードで動作するよう切り換えられたとき、前記通報モジュールが第３の表示出力を生成するよう更に制御する
ことを特徴とする請求項８に記載のライト制御システム。
【請求項１０】
前記処理ユニットは、前記調節モードの期間内に前記時間選択キーから前記時刻信号が入力されたとき、前記通報モジュールが第４の表示出力を生成するよう更に制御する
ことを特徴とする請求項７に記載のライト制御システム。
【請求項１１】
前記処理ユニットは、前記ルーチンモードで動作する期間内に前記ライトカラー調節部から前記設定信号が入力されたとき、前記手動モードで動作するように切り換え、
前記処理ユニットは、前記手動モードで動作する期間内に前記切換キーから前記第１のモード制御信号が入力されたとき、前記調節モードに切り換える
ことを特徴とする請求項９に記載のライト制御システム。
【請求項１２】
前記通報モジュールは、前記光の色が互いに異なった複数の発光部材を含んで構成されている
ことを特徴とする請求項７に記載のライト制御システム。
【請求項１３】
前記処理ユニットが前記ルーチンモードで動作するとき、現時刻から次の時刻への過程において、前記発光モジュールに前記現時刻に対応する光の色を前記次の時刻の光の色に徐々に変化させる
ことを特徴とする請求項１に記載のライト制御システム。
【請求項１４】
前記ルーチン期間は、２４時間であることを特徴とする請求項１に記載のライト制御システム。
【考案の詳細な説明】
【技術分野】
【０００１】
本考案は、ライト制御システムに関し、特に、所定の期間内において徐々に色を変化させながら発光できるライトを備えたライト制御システムに関する。
【背景技術】
【０００２】
多くの生き物は、日の出と共に太陽光を浴び、日の入りと共に周囲が暗くなり光を浴びなくなることを繰り返して健康に成長することができる。一般的な飼育設備（例えば水槽）は、昼間は取り付けられたライトをオフにしているが、夜になると生き物（魚等）を観賞するためにライトをオンにする。
【先行技術文献】
【特許文献】
【０００３】
【特許文献１】台湾実用新案登録Ｍ４９３２６０号
【考案の概要】
【考案が解決しようとする課題】
【０００４】
しかし、水槽のライトのオンとオフのタイミングは、主に飼い主の都合によって決められてしまうので、水槽の中で飼われている生き物は、生活のリズムを飼い主によって崩され体内時計が狂ってしまう恐れがあり、健康な状態で成長を続けるという観点からも問題がある。
本考案の目的は、飼育されている生き物の体内時計に与える影響を少なくし、健康な状態で飼育できるライト制御システムを提供することである。
【課題を解決するための手段】
【０００５】
上記目的を達成するために、本考案は、所定の時刻を指定するための時刻信号を出力し、且つライトカラー設定するための設定信号を出力するよう操作する入力装置（１）と、前記入力装置（１）と有線又は無線にて接続されるライト（２）とを備えたライト制御システム（１００）において、前記ライト（２）は、出力する光の色を変化できる発光モジュール（２１）と、所定の時間間隔をあけた複数の時刻を所定の順序で一回りして元に戻るルーチン期間における前記複数の時刻にそれぞれ対応した複数のライトカラー設定データを記憶するメモリユニット（２２）と、前記メモリユニット（２２）及び前記発光モジュール（２１）に接続され、且つ所定の順序で動作するルーチンモード或いは調節モードで動作させる処理ユニット（２５）と、前記処理ユニット（２５）が前記ルーチンモードで動作するとき、前記発光モジュール（２１）は、前記ルーチン期間における前記複数の時刻に対応して記憶された各前記ライトカラー設定データに対応した光を逐次出力し、前記処理ユニット（２５）は、前記調節モードで動作するとき、前記入力装置（１）から指定された前記時刻におけるいずれかの前記時刻信号に基づいて、前記時刻信号が指定する前記時刻に対応する前記ライトカラー設定データを前記メモリユニットから読み出し、前記入力装置からの前記設定信号に基づいて前記ライトカラー設定データを対応するよう調整し、且つ前記発光モジュール（２１）は、調整後の前記ライトカラー設定データに対応する光を出力するよう制御される。
【考案の効果】
【０００６】
本考案は、少なくとも以下の効果を奏する。すなわち、処理ユニットが、メモリユニットに記憶されたライトカラー設定データに基いて、発光モジュールが出力する光の色が逐次変わるように制御するので、自然界の太陽光の変化に近い状態で照らすことができ、飼育されている生き物の体内時計に与える影響を少なくし、健康な状態で飼育できる。
【図面の簡単な説明】
【０００７】
【図１】本考案にかかるライト制御システムの一例を概略的に示すブロック図である。
【図２】本考案にかかるライト制御システムの使用状態を説明する図である。
【図３】ライト制御システムの入力装置の一例を説明する図である。
【考案を実施するための形態】
【０００８】
図１、図２を参照して本考案にかかるライト制御システム１００の一例を説明する。ここで、図１は、本考案にかかるライト制御システムの構成の一例を説明するブロック図である。図２は、ライト制御システムの一例の使用状態を説明する図である。
【０００９】
ライト制御システム１００は、入力装置１と、ライト２とを備えている。本実施例において、ライト２は、例えば魚等の飼育設備に設けられている。この例では、図２に示されているように、ライト２が魚等を飼育する水槽９に設けられている形態を挙げて説明するが、これには限定されない。
【００１０】
入力装置１は、例えばユーザーが操作するものであり、ライト２に有線又は無線で信号を発信できる。本実施例において、入力装置１は、図１に示すように、操作パネル１１、発信器１２及び制御モジュール１３を備えている。制御モジュール１３は、操作パネル１１及び発信器１２と電気的に接続されている。発信器１２は、例えば赤外線を利用したものであるが、これには限定されない。
【００１１】
本実施例において、入力装置１は、ユーザーが手動操作で遠隔から制御できるリモートコントローラであるが、ライト２を制御できるものであればよく、例えばスマートフォンやタブレット型ＰＣでも差し支えない。なお、操作パネル１１の構成及び動作に関する詳細は後述する。
【００１２】
続いて、図３を参照して、入力装置１の操作パネル１１を説明する。操作パネル１１には、タイム制設定部１１１、時間設定部１１２、及びライトカラー調節部１１３が設けられている。タイム制設定部１１１は、第１のモード制御信号を生成するように操作される切換キー１１１ａ、確定制御信号を生成するように操作される確定キー１１１ｂ、及び第１の操作を経てリセット制御信号を生成すると共に第２の操作を経て表示制御信号を生成するように操作されるオプションキー１１１ｃを備えている。時間設定部１１２は、時間選択キー１１２ａ、１１２ａ´及びチェックモードキー１１２ｂが設けられている。
【００１３】
本実施例において、第１の操作とは、例えば３秒間長押しする動作である。また、第２の操作とは、例えば１秒間と短く押す動作であるが、第１の操作、第２の操作はこれらに限られない。時間選択キー１１２ａ、１１２ａ´は、それぞれ、例えば図３に示されたように、操作パネル１１の時間設定部１１２に表示されたＡＭ、ＰＭの複数の時刻に対応している。時間選択キー１１２ａは、例えば午前０時（１２ＡＭ）、午前３時（３ＡＭ）、午前６時（６ＡＭ）、午前９時（９ＡＭ）を、時間選択キー１１２ａ´は、正午（１２ＰＭ）、午後３時（３ＰＭ）、午後６時（６ＰＭ）及び午後９時（９ＰＭ）をそれぞれ含む。また、各時間選択キー１１２ａ、１１２ａ´は、対応する各時刻信号を生成するように操作される。
【００１４】
チェックモードキー１１２ｂは、第２のモード制御信号を生成するように操作される。ライトカラー調節部１１３は、設定信号を生成するように操作される。ライトカラー調節部１１３は、例えばライトの色を選定するボタンや、ライトの濃さを調節するボタン等を含み、ライトの色を選定するボタンは、青色（Ｂ）押しボタン１１３ａと、緑色（Ｇ）押しボタン１１３ｂと、赤色（Ｒ）押しボタン１１３ｃと、白色（Ｗ）押しボタン１１３ｄとを有する。
【００１５】
ライトの濃さ又は明るさを調節するボタンとしては、青色（Ｂ）押しボタン１１３ａは、△、▽で示すアップキー１１３ａ１とダウンキー１１３ａ２とを設け、緑色（Ｇ）押しボタン１１３ｂは、△、▽で示すアップキー１１３ｂ１とダウンキー１１３ｂ２とを設け、赤色（Ｇ）押しボタン１１３ｃは、△、▽で示すアップキー１１３ｃ１とダウンキー１１３ｃ２とを設け、白色（Ｗ）押しボタン１１３ｄは、△、▽で示すアップキー１１３ｄ１とダウンキー１１３ｄ２とを設けている。
【００１６】
また、ライトカラー調節部１１３は、図３に示されたＭ１〜Ｍ４で示されたように複数のメモリキー１１３ｆを設けている。複数のメモリキー１１３ｆは、それぞれ、ユーザーが自ら設定した異なる色のデータを記憶し又は読み出す際に用いられる。ライトカラー調節部１１３の上述した各種ボタン又はキーは、対応する設定信号を生成するように操作される。なお、ライトの色は、青色（Ｂ）、緑色（Ｇ）、赤色（Ｒ）、白色（Ｗ）を挙げて説明したが、これには制限されない。
【００１７】
図１を参照すると、ライト２は、発光モジュール２１、メモリユニット２２、受信器２３、通報モジュール２４及び処理ユニット２５を備えている。また、処理ユニット２５は、メモリユニット２２、受信器２３、通報モジュール２４に接続され、ＣＰＵ（図示せず）を利用してライト２が出力する光の色や時間を制御する。
【００１８】
本実施例において、発光モジュール２１は、白色、赤色、青色、及び緑色からなる複数のＬＥＤのモジュールを含む。処理ユニット２５は、発光モジュール２１に信号を出力し、発光モジュール２１は、この信号に基づいて、異なる割合で混合された光を出力する。
【００１９】
メモリユニット２２は、それぞれ上述した複数の時刻に対応した複数のライトカラー設定データを記憶する。これらの時刻は、例えば２４時間で一巡して元に戻るような一つのループする期間（ルーチン期間）における所定の時刻であり、各時刻は、所定の順序で互いに所定の期間（例えば３時間）の時間間隔をあけるように設けられる。ここで、各時刻は、午前０時、午前３時、午前６時、午前９時、正午、午後３時、午後６時、及び午後９時であるが、これらには限定されない。
【００２０】
本実施例において、受信器２３は、赤外線を受信できるものであるが、これには限定されない。本実施例において、入力装置１は、発信器１２により制御信号を出力し、ライト２は、発信器１２から出力された信号を受信器２３で受信する。他の例としては、入力装置１とライト２との間を、Bluetooth（登録商標）やWi-Fi（登録商標）接続等の近距離無線の通信手段を介して信号を伝送できるようにしても差し支えなく、或いは有線で接続して信号を伝送しても差し支えない。
【００２１】
処理ユニット２５は、入力装置１からの制御信号に基づいて、ルーチンモード、調節モード、或いは手動モードで動作することができる。
【００２２】
次に、処理ユニット２５がどのようにしてルーチンモード、調節モード、チェックモード及び手動モードの間で切替えられるかについて説明する。
【００２３】
処理ユニット２５は、ルーチンモードで動作する期間内に、入力装置１の第１のモード制御信号、第２のモード制御信号、或いは設定信号を受信し、調節モード、チェックモード或いは手動モードに対応するように切り換える。
【００２４】
処理ユニット２５は、調節モード、チェックモードで動作する期間内に、入力装置１の第１のモード制御信号或いは第２のモード制御信号を受信したとき、ルーチンモードに切り換える。処理ユニット２５は、手動モードで動作する期間内に、入力装置１からの第１のモード制御信号或いは第２のモード制御信号を受信したとき、調節モード或いはチェックモードに切り換える。
【００２５】
処理ユニット２５は、ルーチンモードで動作するとき、発光モジュール２１に対して、時刻の順序に基いて各時刻に対応するライトカラー設定データに対応する所定の色の光を逐次出力させる。
【００２６】
具体的には、処理ユニット２５は、ルーチンモードで動作するとき、１日２４時間をそれぞれ３時間で区切り、これら３時間の時間間隔があいた複数の時刻の順序（例えば午前９時の次に正午、正午の次は午後３時）に基いて、メモリユニット２２から各時刻に対応するライトカラー設定データを読み取り、ライトカラー設定データに基いて、発光モジュール２１が、ライトカラー設定データに対応する所定の色の光を出力するように制御する。その詳細は、公知の台湾実用新案登録Ｍ４９３２６０号にて説明された従来技術であるので、説明を省略する。
【００２７】
なお、本実施例において、処理ユニット２５がルーチンモードで動作するとき、現在の時刻から次の時刻へ移る過程において、発光モジュール２１が出力する対応する現在の時刻の光の色を徐々に次の時刻に対応する光の色に変化させる。具体的には、午前９時及び正午のライトカラー設定データの所定の色をそれぞれ青色及び赤色とすると、該処理ユニット２５がルーチンモードで動作しているとき、午前９時から正午にかけて、発光モジュール２１が先ず真っ青の色を出力し、続いて、徐々に青色の量を減少させつつ（青色の割合を低くし）、赤色の量を増加させ、マゼンダを経て、正午の時点で真っ赤となる。
【００２８】
続いて、処理ユニット２５が調節モードで動作するときの制御方法を説明する。処理ユニット２５は、調節モードで動作するとき、入力装置１からの指定の時刻におけるいずれかの時刻信号及び設定信号に基づいて、時刻信号が指定する時刻に対応するライトカラー設定データをメモリユニット２２から読み出し、設定信号に対応するように調整した後、メモリユニット２２に記録する。
【００２９】
詳細には、処理ユニット２５は、調節モードで動作する期間内に、入力装置１から時刻信号が入力されたとき、入力された時刻信号が指定する時刻に対応するライトカラー設定データを、メモリユニット２２から読み出す。続いて、処理ユニット２５は、入力装置１からの設定信号を受信したとき、設定信号に応答し、読み出されたライトカラー設定データを設定信号に対応するように調整すると同時に、調整後のライトカラー設定データを発光モジュール２１が調整後の設定信号に対応する所定の色の光を出力するように制御する。
【００３０】
最後に、処理ユニット２５が入力装置１からの確定制御信号を受信したとき、確定制御信号に応答して調整後のライトカラー設定データをメモリユニット２２に記録する。他の例としては、処理ユニット２５は、確定制御信号をまだ受信していない時でも調整後のライトカラー設定データをメモリユニット２２に記録するように設計されることもできる。
【００３１】
その他、処理ユニット２５は、調節モードで動作する期間内に、入力装置１からの表示制御信号が入力されたとき、入力された表示制御信号に応答し、発光モジュール２１が上述の所定の期間（３時間）よりも短い表示期間（例えば３０秒）内に、当該時刻の順序に基いて、ライトカラー設定データの所定の色を有する光を逐次出力するように制御する。
【００３２】
また、ある時刻に対応するライトカラー設定データを調整する前に、処理ユニット２５は、ライトカラー設定データを一時的に記憶してもよい。このため、処理ユニット２５は、調節モードで動作する期間内に入力装置１からのリセット制御信号を受信したとき、リセット制御信号に応答し、調整前のライトカラー設定データを、メモリユニット２２に記録する。
【００３３】
次に、処理ユニット２５がチェックモードで動作する際の制御方法を説明する。処理ユニット２５は、チェックモードで動作する期間内に入力装置１からの時刻信号を受信したときは、時刻信号に基づいて、メモリユニット２２から時刻信号に対応するライトカラー設定データを読み出すと共に、発光モジュール２１がライトカラー設定データに対応する所定の色の光を出力するように制御する。
【００３４】
例えば、処理ユニット２５がチェックモードで動作する期間内に、使用者が午前９時を表す時間選択キー１１２ａを押すと、発光モジュール２１は、午前９時の時刻に対応するライトカラー設定データの色の光を出力して使用者の確認に利用される。
【００３５】
次に、処理ユニット２５が手動モードで動作する場合の制御方法を説明する。処理ユニット２５は、手動モードで動作する期間内に入力装置１からの設定信号を受信したとき、設定信号に基づいて、発光モジュール２１が設定信号に関係する所定の色の光を出力するように制御する。
【００３６】
具体的には、処理ユニット２５が手動モードで動作する期間に、使用者が図３に示すライトカラー調節部１１３における青色の押しボタン１１３ａを押すと、発光モジュール２１は、青色の光を出力する。なお、手動モードから他のモードに切り換えない限りは、発光モジュール２１は、青色の光を発し続ける。
【００３７】
本実施例において、図２に示すように、通報モジュール２４は、２個の発光色が互いに異なる発光ユニット２４１を備える。例えば白色ＬＥＤと青色ＬＥＤとしても良いが、これには限定されない。通報モジュール２４の発光ユニット２４１は、複数の種類の発光や点滅を組み合わせて、視覚を通じて使用者に対し処理ユニット２５が現在どのようなモードで動作しているかを知らせる。
【００３８】
例えば、処理ユニット２５が調節モードで動作しているときは、通報モジュール２４が第１の表示出力を生成するように制御する。第１の表示出力は、例えば青色と白色を同期させて点滅することであるが、これには限定されない。処理ユニット２５がチェックモードで動作しているときは、通報モジュール２４が、第２の表示出力を生成するように制御する。ここで、第２の表示出力は、白色は全く点灯させずに青色のみを点滅させることである。
【００３９】
処理ユニット２５は、手動モードで動作するように切り換えられたとき、通報モジュール２４が、第３の表示出力を生成するように制御する。第３の表示出力は、例えば白色を点滅させて、青色については全く点灯させないことが挙げられる。処理ユニット２５は、調節モードで動作している期間内に入力装置１からの時刻信号を受信したとき、通報モジュール２４が第４の表示出力を生成するように制御する。ここで、第４の表示出力は、例えば白色と青色を交互に点滅させることが挙げられる。
【００４０】
以下、使用者が本考案を実施する一例を挙げて説明する。
【００４１】
通常、ライト２が入力装置１でオンにされたとき、処理ユニット２５は、ルーチンモードでライト２が動作するように設定される。このため、処理ユニット２５がルーチンモードで動作しているときに、使用者が切換キー１１１ａを押すと、処理ユニット２５は、調節モードで動作するように切り換わり、このとき、通報モジュール２４は、青色と白色が同期して点滅し、使用者に対して処理ユニット２５が、現在は調節モードで動作している旨を示す。
【００４２】
その後、使用者が、午前９時を表す時間選択キー１１２ａを押すと、処理ユニット２５は、午前９時に対応するライトカラー設定データをメモリユニット２２から読み出し、このとき、通報モジュール２４は、青色と白色が交互に点滅し、使用者に午前９時のライトカラー設定データを既に選択した旨を表示させる。
【００４３】
次に、使用者がライトカラー調節部１１３において例えば赤色の量（或いは割合）を増すように、押しボタン１１３ｃのアップキー１１３ｃ１（図３においてＲの右隣に位置する△印で示す）を押したとき、処理ユニット２５は、押されたアップキー１１３ｃ１に対応する設定信号に基づいて、読み出されたライトカラー設定データにおける赤色を表す光の数値を調整し、調整後のライトカラー設定データを用いて、発光モジュール２１が赤色の光の量を増した光を出力するようにする。このとき、使用者が現在設定中の各時刻に対応する所定の色を見たいとき、使用者はオプションキー１１１ｃを短く押す。
【００４４】
オプションキー１１１ｃが短く押されることで生成された表示制御信号を受けた処理ユニット２５は、発光モジュール２１が例えば３０秒間の表示期間内に当該時刻の順序に基いてライトカラー設定データに対応する光を出力するように制御する。次に、使用者が変更設定を確定しようとする場合には、確定キー１１１ｂを押し、処理ユニット２５が、午前９時に対応する調整された後のライトカラー設定データをメモリユニット２２に記憶させる。
【００４５】
これに対し、使用者が、午前９時のライトカラー設定データ及び前もって調整されたその他のライトカラー設定データを元の設定に戻そうとするときは、オプションキー１１１ｃを長押しすれば足り、処理ユニット２５は、調整前のライトカラー設定データをメモリユニット２２に記憶する。
【００４６】
そして、使用者は再び切換キー１１１ａを押すことにより、処理ユニット２５によってルーチンモードに切り換えられる。
【００４７】
次に、使用者が各時刻に対応するライトカラー設定データを確認したい場合には、チェックモードキー１１２ｂを押し、処理ユニット２５は、チェックモードに切り換わり、このとき、通報モジュール２４は、白色を全く点灯させずに青色のみを点滅させ、使用者に対して処理ユニット２５がチェックモードで動作している旨を知らせる。使用者が、午前９時を表す時間選択キー１１２ａを押すと、発光モジュール２１は、午前９時の色の光を対応するように出力し、使用者の確認に供される。
【００４８】
そして、使用者が、再びチェックモードキー１１２ｂを押すと、処理ユニット２５は、ルーチンモードで動作するように切り換えられ、午前９時を表す時刻に対応するライトカラー設定データから始め、発光モジュール２１がライトカラー設定データの色を有する光を出力するように制御する。通常、使用者は、現時点における対応する時間選択キーを押すが、例を挙げると、使用者は午前９時の時点では午前９時を表す時間選択キー１１２ａを押す。
【００４９】
発光モジュール２１を直ちにある色（例えば赤色）に発光させたい場合には、使用者は、先ず処理ユニット２５をルーチンモードに切り換え、ライトカラー調節部１１３の赤色キー１１３ｃを押す。すると、処理ユニット２５が手動モードで動作するように切り換わり、且つ発光モジュール２１が赤色を発光するように制御される。このとき、通報モジュール２４は、青色を全く点灯させずに白色のみを点滅させ、使用者に処理ユニット２５が手動モードで動作している旨を知らせる。
【００５０】
このように、本実施例のライト２は、ルーチンモードのときは、所定の時刻の順序で、発光モジュール２１が所定のライトカラー設定データに基いて、所定の色を有する光を出力するように逐次制御する。
【００５１】
例えば、自然界の光の変化を再現するようにすれば、飼われている生物に対する人工灯による悪影響を低減することができる。また、処理ユニット２５やメモリユニット２２に記録された内容により、自動化した制御が可能であり、人の手を煩わせることが少ないので、時間が節約でき手間が省ける。
【００５２】
また、ライトカラー設定データは、入力装置１により操作されて調整することが可能であり、このため、使用者の要求を満足させ易い。更に、通報モジュール２４は、光が互いに異なる複数の種類の表示出力を生成することができるので、使用者は、処理ユニット２５が現在どのモードで動作しているかを知ることができる。
【００５３】
以上の説明は、本考案の実施例に過ぎず、これを以って本実用新案登録請求の範囲を限定するものではない。また、本考案の実用新案請求の範囲及び明細書の内容に簡単な付加や変化を加えたに過ぎないものについても、実用新案登録請求の範囲に記載された考案の技術的範囲に属するものとする。
【産業上の利用可能性】
【００５４】
本考案に係るライト制御システムは、飼育されている生き物の体内時計に与える影響を少なくし、健康な状態で飼育するのに有用である。
【符号の説明】
【００５５】
１００    ライト制御システム
１        入力装置
１１      操作パネル
１１１    タイム制設定部
１１１ａ  切換キー
１１１ｂ  確定キー
１１１ｃ  オプションキー
１１２    時間設定部
１１２ａ  時間選択キー
１１２ａ’時間選択キー
１１２ｂ  チェックモードキー
１２    発信器
１３    制御モジュール
２      ライト
２１    発光モジュール
２２    メモリユニット
２３      受信器
２４      通報モジュール
２４１    発光ユニット
２５      処理ユニット
９      水槽
【図１】
0003213109.tif 000003
【図２】
0003213109.tif 000004
【図３】
0003213109.tif 000005